(57)【要約】【課題】録画再生装置において、テレビジョン番組を複数の光ディスクに分割してダビングする場合に、ダビングしたテレビジョン番組の光ディスク間の繋ぎ目での違和感をなくす。【解決手段】録画再生装置であるＨＤＤ付きＢＤレコーダは、ダビング対象番組Ｔを複数枚の光ディスクに分割してダビングする場合、１枚目の光ディスクには、ダビング対象番組Ｔの最初Ｐ１から、ダビング可能な最大容量をダビングし、２枚目の光ディスクには、１枚目の光ディスクにダビングした最後の部分を含むように一部重複させて、１枚目の光ディスクにダビングした最後の位置Ｐ２より所定時間Ｓ（例えば１０秒）戻った位置Ｐ３から、ダビング可能な最大容量をダビングする。２枚目の光ディスクへのダビング対象番組Ｔの記録範囲Ｒ２の最初の所定時間Ｓ分は、１枚目の光ディスクへのダビング対象番組Ｔの記録範囲Ｒ１の最後の所定時間Ｓ分と重複する。【選択図】図２
2012113787.tif 000002
【特許請求の範囲】
【請求項１】
テレビジョン放送局から放送されるテレビジョン番組を装置本体に内蔵の内部記録媒体に録画し、録画したテレビジョン番組を再生する録画再生装置において、
前記内部記録媒体に録画されているテレビジョン番組を、装置本体に装着／取外しされる外部記録媒体である光ディスクにダビングする番組ダビング手段を備え、
前記番組ダビング手段は、
ダビングしようとするテレビジョン番組であるダビング対象番組を光ディスクにダビングするときに、該ダビング対象番組を複数枚の光ディスクに分割してダビングする場合、
１枚目の光ディスクに前記ダビング対象番組の途中までをダビングすると共に、２枚目の光ディスクに前記ダビング対象番組の途中からダビングし、
前記２枚目の光ディスクへの前記ダビング対象番組の途中からのダビングについては、前記１枚目の光ディスクにダビングした最後の部分を含むように一部重複させてダビングする、
ことを特徴とする録画再生装置。
【請求項２】
前記番組ダビング手段は、前記２枚目の光ディスクへの前記ダビング対象番組の途中からのダビングについては、前記１枚目の光ディスクにダビングした最後の位置より、所定時間戻った位置からダビングする、
ことを特徴とする請求項１に記載の録画再生装置。
【請求項３】
前記番組ダビング手段は、前記１枚目の光ディスクへの前記ダビング対象番組の途中までのダビングについては、ダビング可能な最大容量をダビングする、
ことを特徴とする請求項１に記載の録画再生装置。
【請求項４】
ユーザにより前記ダビング対象番組が選択されたときに、該ユーザにより選択された前記ダビング対象番組のダビングに必要な光ディスクの枚数を示した必要枚数画面を表示する必要枚数画面表示手段をさらに備え、
前記番組ダビング手段は、前記必要枚数画面表示手段による前記必要枚数画面の表示後、ユーザによりダビングを実行するための操作がされると、前記ユーザにより選択された前記ダビング対象番組をダビングする、
ことを特徴とする請求項１に記載の録画再生装置。
【発明の詳細な説明】
【技術分野】
【０００１】
本発明は、テレビジョン放送局から放送されるテレビジョン番組を録画し、録画したテレビジョン番組を再生する録画再生装置に関するものである。
【背景技術】
【０００２】
従来から、テレビジョン番組を録画し、録画したテレビジョン番組を再生する録画再生装置がある。このような録画再生装置は、テレビジョン番組を、録画再生装置に内蔵されている例えばハードディスクなどの内部記録媒体に録画するようになっている。また、このような録画再生装置において、内部記録媒体に録画したテレビジョン番組を、録画再生装置に装着／取外しされる外部記録媒体である光ディスクにダビングすることができるものがある。
【０００３】
ところで、テレビジョン番組を光ディスクにダビングするとき、ダビングしようとするテレビジョン番組であるダビング対象番組の容量が、１枚の光ディスクの記録可能容量を超える場合がある。このような場合、ダビング対象番組を複数枚の光ディスクに分割してダビングすることになる。
【０００４】
従来の録画再生装置では、ダビング対象番組を複数枚の光ディスクに分割してダビングする場合、１枚目の光ディスクにダビング対象番組の途中までをダビングすると共に、２枚目の光ディスクにダビング対象番組の途中からダビングし、２枚目の光ディスクへのダビング対象番組の途中からのダビングについては、１枚目の光ディスクにダビングしたテレビジョン番組の最後の位置の続きからダビングするようになっている。また、ダビング対象番組のダビングが３枚以上の光ディスクに亘る場合には、３枚目以降の光ディスクへのダビングについても、２枚目の光ディスクへのダビングと同様に、直前の光ディスクにダビングしたテレビジョン番組の最後の位置の続きからダビングするようになっている。このように、従来の録画再生装置においては、テレビジョン番組を複数の光ディスクに分割してダビングする場合、２枚目以降の光ディスクには、直前の光ディスクにダビングしたテレビジョン番組の最後の位置の続きからダビングするようになっている。
【０００５】
一方、シーンを分割して複数の光ディスクにダビングする場合、各光ディスクに、合計何枚構成の何枚目の光ディスクであるかという情報を付加すると共に、他の光ディスクにダビングするシーンのダイジェスト部分を記録するようにした記録装置が知られている（例えば特許文献１参照）。また、複数の光ディスクにシーンを分割してダビングする場合、顔が映っていない位置でシーンを分割するようにした情報記録再生装置が知られている（例えば特許文献２参照）。また、ハードディスクに録画されている多数の番組の中から、同じ系統の複数番組（連続番組）を一連の番組として関連付け、それら関連付けた複数の番組を光ディスクにダビングするようにした記録再生装置が知られている（例えば特許文献３参照）。また、ハードディスクに記録されている画像データを複数の光ディスクに分割してダビングする場合、画像データの送信状況を表示するようにした記録制御システムが知られている（例えば特許文献４参照）。
【先行技術文献】
【特許文献】
【０００６】
【特許文献１】特開２００９−１４０６０３号公報
【特許文献２】特開２０１０−２１８１３号公報
【特許文献３】特開２００７−２８８２４８号公報
【特許文献４】特開２０１０−３３３３号公報
【発明の概要】
【発明が解決しようとする課題】
【０００７】
上述した従来の録画再生装置においては、テレビジョン番組を複数の光ディスクに分割してダビングする場合、２枚目以降の光ディスクには、直前の光ディスクにダビングしたテレビジョン番組の最後の位置の続きからダビングされる。すなわち、これら複数の光ディスクにダビングしたテレビジョン番組を再生する場合、直前の光ディスク（例えば１枚目の光ディスク）からの再生を終えて、次の光ディスク（例えば２枚目の光ディスク）からの再生を開始すると、直前の光ディスクから再生したテレビジョン番組の最後の位置の続きから、テレビジョン番組が再生される。
【０００８】
このため、複数の光ディスクにダビングしたテレビジョン番組を再生したとき、ユーザは、直前の光ディスクから再生されるテレビジョン番組の最後の部分と、次の光ディスクから再生されるテレビジョン番組の最初の部分とが、一連のものであるという感覚を得難い。つまり、従来の録画再生装置においては、テレビジョン番組を複数の光ディスクに分割してダビングした場合、ダビングしたテレビジョン番組の光ディスク間の繋ぎ目で、ユーザに違和感を与えることになる。なお、上述した特許文献１乃至特許文献４に開示の内容を適用したとしても、上記の問題を解決することはできない。
【０００９】
本発明は、上記課題を解決するためになされたものであり、テレビジョン番組を複数の光ディスクに分割してダビングする場合に、ダビングしたテレビジョン番組の光ディスク間の繋ぎ目での違和感をなくすことができる録画再生装置を提供することを目的とする。
【課題を解決するための手段】
【００１０】
上記目的を達成するために請求項１の発明は、テレビジョン放送局から放送されるテレビジョン番組を装置本体に内蔵の内部記録媒体に録画し、録画したテレビジョン番組を再生する録画再生装置において、内部記録媒体に録画されているテレビジョン番組を、装置本体に装着／取外しされる外部記録媒体である光ディスクにダビングする番組ダビング手段を備え、番組ダビング手段は、ダビングしようとするテレビジョン番組であるダビング対象番組を光ディスクにダビングするときに、該ダビング対象番組を複数枚の光ディスクに分割してダビングする場合、１枚目の光ディスクにダビング対象番組の途中までをダビングすると共に、２枚目の光ディスクにダビング対象番組の途中からダビングし、２枚目の光ディスクへのダビング対象番組の途中からのダビングについては、１枚目の光ディスクにダビングした最後の部分を含むように一部重複させてダビングするものである。
【００１１】
請求項２の発明は、請求項１に記載の録画再生装置において、番組ダビング手段は、２枚目の光ディスクへのダビング対象番組の途中からのダビングについては、１枚目の光ディスクにダビングした最後の位置より、所定時間戻った位置からダビングするものである。
【００１２】
請求項３の発明は、請求項１に記載の録画再生装置において、番組ダビング手段は、１枚目の光ディスクへのダビング対象番組の途中までのダビングについては、ダビング可能な最大容量をダビングするものである。
【００１３】
請求項４の発明は、請求項１に記載の録画再生装置において、ユーザによりダビング対象番組が選択されたときに、該ユーザにより選択されたダビング対象番組のダビングに必要な光ディスクの枚数を示した必要枚数画面を表示する必要枚数画面表示手段をさらに備え、番組ダビング手段は、必要枚数画面表示手段による必要枚数画面の表示後、ユーザによりダビングを実行するための操作がされると、ユーザにより選択されたダビング対象番組をダビングするものである。
【発明の効果】
【００１４】
請求項１及び請求項２の発明によれば、テレビジョン番組を複数の光ディスクに分割してダビングする場合に、２枚目の光ディスクへのダビングについては、１枚目の光ディスクにダビングしたテレビジョン番組の最後の部分を含むように一部重複してダビングされる。すなわち、これら複数の光ディスクにダビングしたテレビジョン番組を再生する場合、１枚目の光ディスクからの再生を終えて、２枚目の光ディスクからの再生を開始すると、１枚目の光ディスクから再生したテレビジョン番組の最後の部分を含むように一部重複して、テレビジョン番組が再生される。これにより、ユーザは、１枚目の光ディスクから再生されるテレビジョン番組の最後の部分と、２枚目の光ディスクから再生されるテレビジョン番組の最初の部分とが、一連のものであるという感覚を得易い。従って、テレビジョン番組を複数の光ディスクに分割してダビングする場合に、ダビングしたテレビジョン番組の光ディスク間の繋ぎ目での違和感をなくすことができる。
【００１５】
請求項３の発明によれば、テレビジョン番組を複数の光ディスクに分割してダビングする場合に、１枚目の光ディスクへのダビングについては、ダビング可能な最大容量がダビングされる。従って、光ディスクに無駄な空き容量が発生しないようにすることができ、光ディスクの容量を有効に利用することができる。
【００１６】
請求項４の発明によれば、ユーザがテレビジョン番組をダビングしようとするとき、テレビジョン番組のダビングに必要な光ディスクの枚数を示した必要枚数画面が表示される。従って、ユーザは、この必要枚数画面を見ることによって、ダビングに必要な光ディスクの枚数を前もって把握することができ、ダビング作業を手際良く行うことが可能となり、使い勝手が良い。
【図面の簡単な説明】
【００１７】
【図１】本発明の一実施形態に係るＨＤＤ付きＢＤレコーダの概略構成を示す電気的ブロック構成図。
【図２】同ＨＤＤ付きＢＤレコーダのテレビジョン番組を複数枚の光ディスクに分割してダビングする場合の、１枚目の光ディスク及び２枚目の光ディスクへのダビング対象番組の記録範囲を示す図。
【図３】同ＨＤＤ付きＢＤレコーダの動作を示すフローチャート。
【図４】同ＨＤＤ付きＢＤレコーダの番組ダビング動作を示すフローチャート。
【発明を実施するための形態】
【００１８】
以下、本発明を具体化した実施形態による録画再生装置について図面を参照して説明する。図１は、本実施形態による録画再生装置であるＨＤＤ付きＢＤレコーダの構成を示す。ＨＤＤ付きＢＤレコーダ１は、テレビジョン放送局から放送されるテレビジョン番組を録画、録音し、録画、録音したテレビジョン番組を再生する装置である。ＨＤＤ付きＢＤレコーダ１は、外部装置９０を接続して使用するようになっており、再生したテレビジョン番組の映像、音声を外部装置９０によって出力するようになっている。このＨＤＤ付きＢＤレコーダ１は、録画、録音したテレビジョン番組を外部記録媒体である光ディスク３０にダビング（コピー）する機能を備えている。
【００１９】
ＨＤＤ付きＢＤレコーダ１は、チューナ１１と、ＨＤＤ１２と、光ディスクドライブ１３と、出力切換部１４と、ＯＳＤ処理部１５と、リモコン１６と、リモコン受信部１７と、ＨＤＤ付きＢＤレコーダの動作を制御する制御部（番組ダビング手段、必要枚数画面表示手段）１８等を備える。
【００２０】
チューナ１１は、制御部１８による制御のもと、受信周波数がテレビジョン信号の放送チャンネルに対応する周波数に設定されることにより、その放送チャンネル（その周波数）のテレビジョン信号をアンテナ１ａを介して受信する。
【００２１】
テレビジョン信号には、映像信号（テレビジョン番組の映像を表わす信号）、音声信号（テレビジョン番組の音声を表わす信号）、番組情報信号（テレビジョン番組に関する番組情報を表わす信号）等が含まれている。テレビジョン番組に関する番組情報には、番組のタイトル（題名）、番組のジャンル、及び番組の放送日時等の各種情報が含まれている。
【００２２】
チューナ１１は、制御部１８による制御のもと、受信したテレビジョン信号を復調、復号処理して、受信したテレビジョン信号から、映像信号、音声信号、及び番組情報信号を生成する。
【００２３】
ＨＤＤ１２は、内部記録媒体であるハードディスク２０を内蔵しており、制御部１８による制御のもと、チューナ１１により生成された映像信号、音声信号、番組情報信号等を含む各種信号をハードディスク２０に記録する。また、ＨＤＤ１２は、制御部１８による制御のもと、ハードディスク２０に記録されている映像信号、音声信号、番組情報信号等を含む各種信号を読出す。
【００２４】
光ディスクドライブ１３は、外部記録媒体であるＤＶＤ、ＢＤ（ブルーレイディスク）等の光ディスク３０が装着／取外しされるようになっており、制御部１８による制御のもと、ＨＤＤ１２によりハードディスク２０から読出された映像信号、音声信号、番組情報信号等を含む各種信号を光ディスク３０に記録する。また、光ディスクドライブ１３は、制御部１８による制御のもと、光ディスク３０に記録されている映像信号、音声信号、番組情報信号等を含む各種信号を読出す。
【００２５】
出力切換部１４は、制御部１８による制御のもと、映像信号及び音声信号の供給経路を切換える。すなわち、出力切換部１４は、制御部１８による制御のもと、チューナ１１により生成された映像信号及び音声信号、ＨＤＤ１２によりハードディスク２０から読出された映像信号及び音声信号、光ディスクドライブ１３により光ディスク３０から読出された映像信号及び音声信号、のうちのいずれかを選択的に出力する。
【００２６】
ＯＳＤ処理部１５は、制御部１８による制御のもと、メニュー画面等の各種映像をＯＳＤ表示するために、出力切換部１４から出力された映像信号を加工処理し、その加工処理後の映像信号を出力する。また、ＯＳＤ処理部１５は、制御部１８による制御のもと、出力切換部１４から出力された映像信号を加工処理しないときには、出力切換部１４から出力された映像信号をそのまま出力する。出力切換部１４から出力された音声信号、及びＯＳＤ処理部１５から出力された映像信号は、外部装置９０に供給される。
【００２７】
外部装置９０に映像信号及び音声信号が供給されることにより、その映像信号及び音声信号による映像及び音声が外部装置９０によって出力（その映像信号による映像が外部装置９０のディスプレイ９１に表示されると共に、その音声信号による音声が外部装置９０のスピーカ９２から出力）される。
【００２８】
リモコン１６は、ＨＤＤ付きＢＤレコーダ１の電源のオン／オフ、テレビジョン番組の放送チャンネルの選択、テレビジョン番組の録画、録画した番組の再生、録画した番組のダビング等、ＨＤＤ付きＢＤレコーダ１の各種動作を指示するためにユーザにより操作され、その操作内容を示す操作信号を送信する。リモコン受信部１７は、リモコン１６から送信された操作信号を受信して、リモコン１６の操作内容を示すリモコン受信信号を出力する。
【００２９】
制御部１８は、リモコン受信部１７から出力されるリモコン受信信号に基いて、ユーザによるリモコン１６の操作内容を判断し、ユーザによるリモコン１６の操作を受けて、ＨＤＤ付きＢＤレコーダ１の各種動作を制御する。制御部１８は、ＨＤＤ付きＢＤレコーダ１の動作を制御するためのプログラムや各種データを記憶しており、それらプログラムや各種データに基いて、ＨＤＤ付きＢＤレコーダ１の各種動作を制御する。
【００３０】
制御部１８は、ＨＤＤ付きＢＤレコーダ１の各種動作として、番組録画動作、番組再生動作、番組ダビング動作、ＯＳＤ表示動作を制御する。
【００３１】
番組録画動作とは、テレビジョン放送局から放送されているテレビジョン番組をハードディスク２０に録画、録音する動作である。番組録画動作では、制御部１８は、テレビジョン放送局から放送されているテレビジョン番組のテレビジョン信号をチューナ１１により受信させ、そして、チューナ１１により生成された映像信号及び音声信号をＨＤＤ１２によりハードディスク２０に記録させることにより、テレビジョン放送局から放送されているテレビジョン番組をハードディスク２０に録画、録音する。このとき、制御部１８は、ハードディスク２０に録画、録音した番組を管理するために、チューナ１１により生成された番組情報信号、及び録画、録音した番組の容量を示す番組容量情報を、録画、録音した番組と対応付けて、ＨＤＤ１２によりハードディスク２０に記録させる。
【００３２】
番組ダビング動作とは、ハードディスク２０に録画、録音されているテレビジョン番組を光ディスク３０にダビング（コピーにより録画、録音）する動作である。番組ダビング動作では、制御部１８は、ハードディスク２０に録画、録音されているテレビジョン番組の映像信号及び音声信号をＨＤＤ１２により読出させ、そして、読出された映像信号及び音声信号を光ディスクドライブ１３により光ディスク３０に記録させることにより、ハードディスク２０に録画、録音されているテレビジョン番組を光ディスク３０にダビングする。このとき、制御部１８は、光ディスク３０にダビングした番組を管理するために、ダビングした番組の番組情報信号を、ダビングした番組と対応付けて、光ディスクドライブ１３により光ディスク３０に記録させる。
【００３３】
番組再生動作とは、ハードディスク２０に録画、録音されているテレビジョン番組を再生する動作である。番組再生動作では、制御部１８は、ハードディスク２０に録画、録音されているテレビジョン番組の映像信号及び音声信号をＨＤＤ１２により読出させ、そして、読出された映像信号及び音声信号を外部装置９０に供給するように、出力切換部１４における映像信号及び音声信号の供給経路を切換えることにより、ハードディスク２０に録画、録音されているテレビジョン番組を再生する。再生されたテレビジョン番組の映像は、外部装置９０のディスプレイ９１に表示され、再生されたテレビジョン番組の音声は、外部装置９０のスピーカ９２から出力される。
【００３４】
ＯＳＤ表示動作とは、ユーザに対するメッセージや操作案内等の各種映像を外部装置９０にＯＳＤ表示する動作である。ＯＳＤ表示動作では、制御部１８は、各種映像をＯＳＤ表示するように、ＯＳＤ処理部１５において映像信号を加工処理させることにより、各種映像を外部装置９０にＯＳＤ表示する。
【００３５】
また、制御部１８は、ＨＤＤ付きＢＤレコーダ１の各種動作として、番組リスト表示動作、必要枚数画面表示動作を制御する。
【００３６】
番組リスト表示動作とは、再生するテレビジョン番組、又はダビングするテレビジョン番組をユーザに選択させるために、ハードディスク２０に録画、録音されているテレビジョン番組の番組リストを表示する動作である。制御部１８は、ユーザにより再生指示又はダビング指示がなされると、番組リスト表示動作を行って、番組リストを表示する。再生指示及びダビング指示は、リモコン１６を操作することによって行われる。番組リスト表示動作では、制御部１８は、番組リストをＯＳＤ表示動作によって外部装置９０に表示する。このとき、制御部１８は、番組リストとして、例えば、ハードディスク２０に録画、録音されているテレビジョン番組のタイトル（題名）、放送日時、ジャンルから成るリストを表示する。制御部１８は、ユーザにより再生指示又はダビング指示がなされると、番組リスト表示動作を行って、番組リストを表示する。
【００３７】
必要枚数画面表示動作とは、テレビジョン番組を光ディスク３０にダビングするときに、ダビング対象番組（ダビングしようとするテレビジョン番組）のダビングに必要な光ディスク３０の枚数を示した必要枚数画面を表示する動作である。制御部１８は、ユーザによりダビング対象番組が選択（すなわち、ユーザによるダビング指示を受けて番組リストを表示しているときに、ユーザにより番組リストの中からテレビジョン番組が選択）されたときに、必要枚数画面表示動作を行って、必要枚数画面を表示する。ダビング対象番組の選択は、リモコン１６を操作することによって行われる。必要枚数画面表示動作では、制御部１８は、必要枚数画面をＯＳＤ表示動作によって外部装置９０に表示する。このとき、制御部１８は、必要枚数画面として、例えば「ＢＤ−Ｒなら１枚必要です、ＤＶＤ−Ｒなら３枚必要です」といったように、ダビングに必要な光ディスク３０の枚数を光ディスク３０の種類毎に示した画面を表示する。制御部１８は、各種の光ディスク３０（例えば、ＢＤ−Ｒ、ＤＶＤ−Ｒ）の記憶容量を記憶しており、ユーザにより選択されたダビング対象番組の容量（ハードディスク２０に記憶されている）と各種の光ディスク３０の記憶容量とに基いて、光ディスク３０の種類毎に、ユーザにより選択されたダビング対象番組のダビングに必要な光ディスク３０の枚数を算出して、必要枚数画面を表示する。
【００３８】
制御部１８は、必要枚数画面を表示後（必要枚数画面を表示しているとき）、ユーザによりダビングを実行するための操作（本実施形態では、光ディスク３０の挿入）がされると、番組ダビング動作を行って、ユーザにより選択されたダビング対象番組を光ディスク３０にダビングする。
【００３９】
制御部１８は、ダビング対象番組を光ディスク３０にダビングするとき、ダビング対象番組の容量が１枚の光ディスク３０の記録可能容量を超える場合、すなわち、ダビング対象番組のダビングに必要な光ディスク３０が複数枚に亘る場合には、ダビング対象番組を複数枚の光ディスク３０に分割してダビングする。
【００４０】
ダビング対象番組を複数枚の光ディスク３０に分割してダビングする場合、制御部１８は、以下のようにして、各光ディスク３０にダビング対象番組をダビングする。
【００４１】
すなわち、ダビング対象番組を複数枚の光ディスク３０に分割してダビングする場合、１枚目の光ディスク３０にダビング対象番組の途中までをダビングすると共に、２枚目の光ディスク３０にダビング対象番組の途中からダビングする。そして、１枚目の光ディスク３０へのダビング対象番組の途中までのダビングについては、ダビング対象番組の最初から、ダビング可能な最大容量をダビングする。また、２枚目の光ディスク３０へのダビング対象番組の途中からのダビングについては、１枚目の光ディスク３０（直前の光ディスク３０）にダビングしたダビング対象番組の最後の部分を含むように一部重複させて、ダビング可能な最大容量をダビングする。すなわち、２枚目の光ディスク３０へのダビング対象番組の途中からのダビングについては、１枚目の光ディスク３０（直前の光ディスク３０）にダビングしたダビング対象番組の最後の位置より所定時間Ｓ（例えば１０秒）戻った位置から、ダビング可能な最大容量をダビングする。
【００４２】
ダビング対象番組のダビングが３枚以上の光ディスク３０に亘る場合には、３枚目以降の光ディスク３０へのダビングについても、２枚目の光ディスク３０へのダビングと同様にダビングする。すなわち、ダビング対象番組のダビングが３枚以上の光ディスク３０に亘る場合には、３枚目以降の光ディスク３０へのダビングについても、直前の光ディスク３０にダビングしたダビング対象番組の最後の部分を含むように一部重複させて、直前の光ディスク３０にダビングしたダビング対象番組の最後の位置より所定時間Ｓ（例えば１０秒）戻った位置から、ダビング可能な最大容量をダビングする。
【００４３】
このように、制御部１８は、ダビング対象番組を複数枚の光ディスク３０に分割してダビングする場合、１枚目の光ディスク３０に、ダビング対象番組の最初から、ダビング可能な最大容量をダビングし、２枚目以降の光ディスク３０に、直前の光ディスク３０にダビングしたダビング対象番組の最後の位置より所定時間Ｓ（例えば１０秒）戻った位置から、ダビング可能な最大容量をダビングする。最後の光ディスク３０には、ダビング対象番組の最後までがダビングされる。
【００４４】
図２は、ダビング対象番組を複数枚の光ディスク３０に分割してダビングする場合の、１枚目の光ディスク３０及び２枚目の光ディスク３０へのダビング対象番組の記録範囲を示す。
【００４５】
ダビング対象番組Ｔを上述のようにして複数枚の光ディスク３０に分割してダビングする場合、１枚目の光ディスク３０へのダビング対象番組Ｔの記録範囲Ｒ１は、ダビング対象番組Ｔの最初Ｐ１から、１枚目の光ディスク３０にダビング可能な最大容量に相当する位置Ｐ２までとなる。
【００４６】
そして、２枚目の光ディスク３０へのダビング対象番組Ｔの記録範囲Ｒ２は、１枚目の光ディスク３０（直前の光ディスク３０）にダビングしたダビング対象番組Ｔの最後の位置Ｐ２より所定時間Ｓ（例えば１０秒）戻った位置Ｐ３から、２枚目の光ディスク３０にダビング可能な最大容量に相当する位置Ｐ４まで（但し、２枚目の光ディスク３０が最後の光ディスク３０である場合、すなわち、ダビング対象番組Ｔを２枚の光ディスク３０に分割してダビングする場合には、ダビング対象番組Ｔの最後まで）となる。
【００４７】
従って、２枚目の光ディスク３０へのダビング対象番組Ｔの記録範囲Ｒ２の最初の所定時間Ｓ（例えば１０秒）分は、１枚目の光ディスク３０（直前の光ディスク３０）へのダビング対象番組Ｔの記録範囲Ｒ１の最後の所定時間Ｓ（例えば１０秒）分と重複することになる。
【００４８】
また、ダビング対象番組Ｔのダビングが３枚以上の光ディスク３０に亘る場合には、３枚目以降の各光ディスク３０へのダビング対象番組Ｔの記録範囲は、直前の光ディスク３０にダビングしたダビング対象番組Ｔの最後の位置より所定時間Ｓ（例えば１０秒）戻った位置から、ダビング可能な最大容量に相当する位置まで（但し、最後の光ディスク３０については、ダビング対象番組Ｔの最後まで）となる。
【００４９】
従って、ダビング対象番組Ｔのダビングが３枚以上の光ディスク３０に亘る場合には、２枚目以降の光ディスク３０へのダビング対象番組Ｔの記録範囲の最初の所定時間Ｓ（例えば１０秒）分は、直前の光ディスク３０へのダビング対象番組Ｔの記録範囲の最後の所定時間Ｓ（例えば１０秒）分と重複することになる。
【００５０】
上記必要枚数画面表示動作では、制御部１８は、このような記録範囲の重複を加味したうえで、ダビング対象番組のダビングに必要な光ディスク３０の枚数を算出して、必要枚数画面を表示する。
【００５１】
図３は、上記ＨＤＤ付きＢＤレコーダ１の動作フローチャートを示す。ユーザによりダビング指示がなされると（＃１でＹＥＳ）、制御部１８は、番組リスト表示動作を行って、番組リストを表示する（＃２）。そして、ユーザによりダビング対象番組が選択されると（＃３でＹＥＳ）、制御部１８は、必要枚数画面表示動作を行って、必要枚数画面を表示する（＃４）。
【００５２】
その後、ユーザにより光ディスク３０が挿入されると（すなわち、ユーザによりダビングを実行するための操作がされると）（＃５でＹＥＳ）、制御部１８は、番組ダビング動作を行って、ユーザにより選択された（＃３で選択された）ダビング対象番組をダビングする（＃６）。
【００５３】
図４は、上記番組ダビング動作のフローチャートを示す。番組ダビング動作において、ユーザにより選択された（上記＃３で選択された）ダビング対象番組の容量が、挿入されている（上記＃５で挿入された）光ディスク３０の記録可能容量を超えない場合には（＃１１でＮＯ）、制御部１８は、挿入されている光ディスク３０に、ダビング対象番組の最初から、ダビング対象番組の最後までをダビングする（＃１２）。そして、制御部１８は、ファイナライズ処理を行って、番組ダビング動作を終了する。
【００５４】
また、番組ダビング動作において、ユーザにより選択されたダビング対象番組の容量が、挿入されている光ディスク３０の記録可能容量を超える場合には（＃１１でＹＥＳ）、制御部１８は、挿入されている光ディスク３０に、ダビング対象番組の最初から、ダビング可能な最大容量をダビングする（＃１３）。そして、制御部１８は、ファイナライズ処理を行った後、次の光ディスク３０の挿入を促す（例えば「次の光ディスクを挿入してください」のメッセージをＯＳＤ表示動作によって表示する）。
【００５５】
その後、次の光ディスク３０が挿入されると（＃１４でＹＥＳ）、制御部１８は、挿入されている光ディスク３０に、直前に挿入されていた光ディスク３０にダビングしたダビング対象番組の最後の位置より所定時間（例えば１０秒）戻った位置から、ダビング可能な最大容量をダビングする（＃１５）。
【００５６】
ここで、ダビング対象番組の最後までをダビング完了していなければ（すなわち、そのときに挿入されている光ディスク３０に、ダビング対象番組の最後までをダビングできていなければ）（＃１６でＮＯ）、制御部１８は、ファイナライズ処理を行った後、次の光ディスク３０の挿入を促し、上記＃１４以降の処理を繰り返す。
【００５７】
そして、ダビング対象番組の最後までをダビング完了すれば（すなわち、そのときに挿入されている光ディスク３０に、ダビング対象番組の最後までをダビングできていれば）（＃１６でＹＥＳ）、制御部１８は、ファイナライズ処理を行って、番組ダビング動作を終了する。
【００５８】
このような構成のＨＤＤ付きＢＤレコーダ１によれば、テレビジョン番組を複数枚の光ディスク３０に分割してダビングする場合に、２枚目以降の光ディスク３０へのダビングについては、直前の光ディスク３０にダビングしたテレビジョン番組の最後の部分を含むように一部重複してダビングされる。すなわち、これら複数の光ディスク３０にダビングしたテレビジョン番組を再生する場合、直前の光ディスク３０（例えば１枚目の光ディスク３０）からの再生を終えて、次の光ディスク３０（例えば２枚目の光ディスク３０）からの再生を開始すると、直前の光ディスク３０から再生したテレビジョン番組の最後の部分を含むように一部重複して、テレビジョン番組が再生される。これにより、ユーザは、直前の光ディスク３０から再生されるテレビジョン番組の最後の部分と、次の光ディスク３０から再生されるテレビジョン番組の最初の部分とが、一連のものであるという感覚を得易い。従って、テレビジョン番組を複数の光ディスク３０に分割してダビングする場合に、ダビングしたテレビジョン番組の光ディスク３０間の繋ぎ目での違和感をなくすことができる。
【００５９】
しかも、テレビジョン番組を複数の光ディスク３０に分割してダビングする場合に、１枚目の光ディスク３０へのダビングについては、ダビング可能な最大容量がダビングされる。従って、光ディスク３０に無駄な空き容量が発生しないようにすることができ、光ディスク３０の容量を有効に利用することができる。
【００６０】
また、ユーザがテレビジョン番組をダビングしようとするとき、テレビジョン番組のダビングに必要な光ディスク３０の枚数を示した必要枚数画面が表示される。従って、ユーザは、この必要枚数画面を見ることによって、ダビングに必要な光ディスク３０の枚数を前もって把握することができ、ダビング作業を手際良く行うことが可能となり、使い勝手が良い。
【００６１】
なお、本発明は、上記実施形態の構成に限られず、種々の変形が可能である。例えば、ダビング対象番組を複数枚の光ディスクに分割してダビングする場合における２枚目以降の光ディスクへのダビングについて、直前の光ディスクにダビングした最後の位置より、どれだけの時間戻った位置からダビングするのかを、ユーザが任意に設定できるようにしてもよい。また、ダビング対象番組を複数枚の光ディスクに分割してダビングする場合における２枚目以降の光ディスクへのダビングについて、直前の光ディスクにダビングした最後の位置より、所定時間戻った位置からダビングすることに代えて、直前の光ディスクにダビングした最後の位置より、場面が切り替わる部分まで戻った位置からダビングするようにしてもよい。また、ダビング対象番組を複数枚の光ディスクに分割してダビングする場合、各光ディスクに、何枚目の光ディスクであるかを記録するようにしてもよい。
【符号の説明】
【００６２】
１    ＨＤＤ付きＢＤレコーダ（録画再生装置）
１ａ    アンテナ
１１    チューナ
１２    ＨＤＤ
１３    光ディスクドライブ
１４    出力切換部
１５    ＯＳＤ処理部
１６    リモコン
１７    リモコン受信部
１８    制御部（番組ダビング手段、必要枚数画面表示手段）
２０    ハードディスク（内部記録媒体）
３０    光ディスク（外部記録媒体）
５０    必要枚数画面
９０    外部装置
９１    ディスプレイ
９２    スピーカ
【図１】
2012113787.tif 000003
【図３】
2012113787.tif 000004
【図４】
2012113787.tif 000005
【図２】
2012113787.tif 000006